(57)【要約】【課題】所要の強度を適切に確保しつつ、重量が軽いと共に低いコストで構築できる梁の補強構造及びそれに用いる梁の補強金具を提供すること。【解決手段】集成材等の木材から成る梁材１０を補強するための梁の補強構造であって、断面矩形の梁材１０における下側の一対の角部１１、１１のそれぞれについて、断面Ｌ字状で長尺の鋼材から成る梁の補強金具２０が、角部１１を密着した状態でカバーするように、梁材１０の長手方向に沿わせて固定されている。これによれば、梁材１０の曲げ強度を著しく高めることができる。【選択図】図１
0003143188.tif 000002
【実用新案登録請求の範囲】
【請求項１】
集成材等の木材から成る梁材を補強するための梁の補強構造であって、
断面矩形の梁材における下側の一対の角部のそれぞれについて、断面Ｌ字状で長尺の鋼材が、前記角部を密着した状態でカバーするように、前記梁材の長手方向に沿わせて固定されていることを特徴とする梁の補強構造。
【請求項２】
前記長尺の鋼材の両端部に前記梁材の長手方向とは直交する方向へ延長された拡大部が設けられ、該拡大部も前記梁材に固定されていることを特徴とする請求項１記載の梁の補強構造。
【請求項３】
前記長尺の鋼材が前記梁材に釘によって固定されていることを特徴とする請求項１又は２記載の梁の補強構造。
【請求項４】
前記長尺の鋼材が、断面Ｌ字状となるように鋼板を曲げることで形成されていることを特徴とする請求項１〜３のいずれかに記載の梁の補強構造。
【請求項５】
前記請求項１〜４のいずれかに記載の梁の補強構造に用いられる前記長尺の鋼材であることを特徴とする梁の補強金具。
【考案の詳細な説明】
【技術分野】
【０００１】
この考案は、集成材等の木材から成る梁材を補強するための梁の補強構造及び梁の補強金具に関する。
【背景技術】
【０００２】
建築用の梁材は、曲げ荷重がかかるため、大きな荷重に耐え得るように高い強度が要求される。例えば、集成材は、大きな断面積を備えるように形成することができ、曲げ強度を高めることができるため、梁材として広く利用されている。
しかし、大きな断面積を備える集成材等の木材から成る梁材は、それ自体が高額になると共に重量が重くなり、家屋の建築コストを引き上げる一つの要因になっている。
【０００３】
これに対して、集成材と鋼材とのハイブリット材に関する提案例として、複数枚のひき板又は小角材等をその繊維方向にお互いにほぼ平行にして、厚さ及び厚さ方向に集成し接着し、その接着面部にその長手方向に沿って複数本の補強ロッドを挿通し、端部に接合金具を埋設し、かつ、この接合金具を前記補強ロッドに固着して構成される木構造用集成材が開示されている（特許文献１参照）。
【０００４】
上記の補強ロッドを集成材内に埋設する形態では、その集成材自体の製造コストが高くなる。また、補強ロッドを挿通するための孔を集成材内に形成することから、かえって強度を低下させる恐れがある。さらに、外部から視認できないため、確認作業が難しいというデメリットもある。
【特許文献１】特開平６−２２９０６６号公報（第１頁）
【考案の開示】
【考案が解決しようとする課題】
【０００５】
梁の補強構造及び梁の補強金具に関して解決しようとする問題点は、従来の大きな断面積を備える集成材等の木材から成る梁材は、コストが高くなると共に重量が重くなる点にある。また、前記従来の提案例のような補強ロッドを集成材内に埋設する形態でも、製造コストが高くなってしまう等の問題点がある。
そこで本考案の目的は、所要の強度を適切に確保しつつ、重量が軽いと共に低いコストで構築できる梁の補強構造及びそれに用いる梁の補強金具を提供することにある。
【課題を解決するための手段】
【０００６】
本考案は、上記目的を達成するために次の構成を備える。
本考案にかかる梁の補強構造の一形態によれば、集成材等の木材から成る梁材を補強するための梁の補強構造であって、断面矩形の梁材における下側の一対の角部のそれぞれについて、断面Ｌ字状で長尺の鋼材が、前記角部を密着した状態でカバーするように、前記梁材の長手方向に沿わせて固定されている。
【０００７】
また、本考案にかかる梁の補強構造の一形態によれば、前記長尺の鋼材の両端部に前記梁材の長手方向とは直交する方向へ延長された拡大部が設けられ、該拡大部も前記梁材に固定されていることを特徴とすることができる。
また、本考案にかかる梁の補強構造の一形態によれば、前記長尺の鋼材が前記梁材に釘によって固定されていることを特徴とすることができる。
【０００８】
また、本考案にかかる梁の補強構造の一形態によれば、前記長尺の鋼材が、断面Ｌ字状となるように鋼板を曲げることで形成されていることを特徴とすることができる。
また、本考案にかかる梁の補強金具の一形態によれば、前記の梁の補強構造に用いられる前記長尺の鋼材であることを特徴とする。
【考案の効果】
【０００９】
本考案の梁の補強構造及びそれに用いる梁の補強金具によれば、所要の強度を適切に確保しつつ、重量が軽いと共に低いコストで補強された梁を構築できるという特別有利な効果を奏する。
【考案を実施するための最良の形態】
【００１０】
以下、本考案に係る梁の補強構造及び梁の補強金具の最良の形態例を、添付図面に基づいて詳細に説明する。
図１は本考案に係る梁の補強構造の形態例を示す斜視図である。図２は本考案に係る梁の補強金具の形態例を示す斜視図である。
【００１１】
本形態例は、集成材から成る梁材１０を補強するための梁の補強構造である。なお、本考案に係る梁の補強構造は、他の木材からなる梁材を補強する際にも適用できる。
また、本形態例は、長尺の鋼材から成る梁の補強金具２０によって梁材１０を補強する梁の補強構造である。
断面Ｌ字状の長尺の鋼材である梁の補強金具２０が、断面矩形の梁材１０における下側の一対の角部１１、１１のそれぞれについて、その角部１１を密着した状態でカバーするように、梁材１０の長手方向に沿わせて固定されている。なお、この梁の補強金具２０の両端は、梁材１０の端部が固定されている柱１５の近傍まで延びているが、柱１５には固定されていない（図１参照）。
【００１２】
その固定状態の詳細は、梁材１０の下面１２と梁の補強金具２０の水平部２１の上面（内面）とが密着された状態で固定され、梁材１０の側面１３と梁の補強金具２０の鉛直面部２２の内面とが密着された状態で固定されている。
すなわち、梁の補強金具２０によって、梁材１０の角部１１に枠を嵌め、縁取りをしたような形態となっている。なお、本考案に係る鋼材とは、ステンレススチールや他の合金の構造用材料を含むものであり、いわゆる炭素鋼に限定されるものではない。
【００１３】
これによれば、梁の補強金具２０によって、梁材１０の曲げ強度を著しく高めることができる。そのため、梁材１０の断面にかかる高さ寸法を短くして断面積を小さくすることができる。例えば、高さ寸法を２／３程度にすることができる。従って、集成材から成る梁材１０のコストを低減でき、重量を軽くすることができる。
また、梁の補強金具２０が下側の一対の角部１１、１１のそれぞれについて固定されているため、梁材１０を荷重に対してバランスよく補強できている。
【００１４】
２３は拡大部であって、長尺の鋼材から成る梁の補強金具２０の両端部に梁材１０の長手方向とは直交する方向へ延長されて設けられている。その拡大部２３も梁材１０に固定されている。なお、拡大部２３が設けられる位置や数は、これに限定されず、例えば両端の位置に加えて梁の補強金具２０の中央部にあってもよい。特に梁材１０のスパンが大きく、梁の補強金具２０が長くなる場合は、その中央部に拡大部２３を設けるとよい。これによって、梁材１０に対する梁の補強金具２０の固定を強固にすることができる。
このように拡大部２３を設けることで、梁材１０に荷重がかかった際にその荷重を梁の補強金具２０によって好適に受け止めることができる。これによって、梁の補強金具２０による梁材１０に対する補強機能を適切に発揮することができる。
【００１５】
また、本形態例では、長尺の鋼材（梁の補強金具２０）の水平部２１と鉛直面部２２の両方に拡大部２３が設けられているが、本考案はこれに限定されるものではない。
例えば、少なくとも長尺の鋼材（梁の補強金具２０）の鉛直面部２２のみに拡大部２３が設けられていればよい。これは、梁の補強金具２０では、鉛直面部２２と梁材１０との固定部分に荷重がかかり易いためである。また、集成材等の梁材１０は断面にかかる幅寸法(厚み)が高さ寸法に比べて短く設定されており、拡大部２３固定される部分を確保しにくいためである。
【００１６】
さらに、拡大部２３の形状は、本形態例のように矩形状に延長されることに、限定されるものではない。例えば、負荷される荷重の力を分散するように曲線的な延長形状であってもよい。
また、長尺の鋼材（梁の補強金具２０）の水平部２１自体と鉛直面部２２自体の大きさは、本形態例のように同等に形成されることに限定されない。例えば、鉛直面部２２の幅の方が水平部２１の幅よりも広いものであってもよい。さらにその幅寸法が十分な場合には、上記の拡大部２３を設けなくてもよい。
【００１７】
また、本形態例では、長尺の鋼材から成る梁の補強金具２０が、梁材１０に釘３０によって固定されている。このため、梁の補強金具２０には、図２に示すように釘３０を打つために釘穴２５を設けておくとよい。
なお、梁の補強金具２０の固定方法はこれに限定されるものではない。例えば、梁材１０の長手方向に所要の間隔を置いて、鋼材のバンドや鋼線のワイヤで梁の補強金具２０を巻付けて梁材１０に密着させてもよい。また、その鋼材のバンド等は、梁の補強金具２０と共に梁材１０に釘３０を打ち付けて固定してもよい。
【００１８】
また、本形態例の長尺の鋼材から成る梁の補強金具２０は、断面Ｌ字状となるように鋼板を曲げることで形成されている。２４は鋼板の曲げ部である（図２参照）。これによれば、梁の補強金具２０を、適宜の形態に且つ低コストで形成できる。なお、さらに強度を高めるためには、構造用鋼材であるアングル鋼材を利用することも可能である。
ところで、梁の補強金具２０の大きさは、例えば、梁の補強金具２０の水平部２１と、梁の補強金具２０の鉛直面部２２の幅寸法を５０ｍｍ程度に設定できる。また、拡大部２３の延長寸法は、１００ｍｍ程度に設定することができる。
【００１９】
以上、本考案につき好適な形態例を挙げて種々説明してきたが、本考案はこの形態例に限定されるものではなく、考案の精神を逸脱しない範囲内で多くの改変を施し得るのは勿論のことである。
【図面の簡単な説明】
【００２０】
【図１】本考案に係る梁の補強構造の形態例を示す斜視図である。
【図２】本考案に係る梁の補強金具の形態例を示す斜視図である。
【符号の説明】
【００２１】
１０  梁材
１１  角部
１２  下面
１３  側面
１５  柱
２０  梁の補強金具
２１  水平部
２２  鉛直面部
２３  拡大部
２４  鋼板の曲げ部
２５  釘穴
３０  釘
【図１】
0003143188.tif 000003
【図２】
0003143188.tif 000004